(57)【要約】  本発明は、圧縮機ブロック（２１）に関連し、この圧縮機ブロック（２１）は、駆動部材（２２）の少なくとも１つの通路開口部、少なくとも１つの支持体の前面延長部分（２４ａ）、および少なくとも１つの部分（２６）を有し、したがって、部分（２６）と支持体の前面延長部分（２４ａ）との間の構造的接続のための少なくとも１つの第１の手段および少なくとも１つの第２の手段が、少なくとも１つの構造壁（２８ａ）および少なくとも１つの構造壁（２８ｂ）によって画定される。構造壁（２８ａ、２８ｂ）は、圧縮機ブロック（２１）の主要外周を画定し、互いの間の物理的結合のための少なくとも１つのセクションが設けられる。
2014533333.tif 000002
【特許請求の範囲】
【請求項１】
駆動部材（２２）の少なくとも１つの通路開口部、少なくとも１つの前面支持延長部分（２４ａ）、および少なくとも１つの部分（２６）を備えるブロック圧縮機（２１）であって、
少なくとも１つの構造壁（２８ａ）によって画定される部分（２６）と支持体の前面延長部分（２４ａ）との間の構造的接続のための少なくとも１つの第１の手段と、
少なくとも１つの構造壁（２８ｂ）によって画定される部分（２６）と支持体の前面延長部分（２４ａ）との間の構造的接続のための少なくとも１つの第２の手段と、
互いの間の物理的結合のための少なくとも１つのセクションを備える構造壁（２８ａ、２８ｂ）と、
圧縮機ブロック（２１）の主要外周を画定する構造壁（２８ａ、２８ｂ）と
を備えることを特徴とする、ブロック圧縮機（２１）。
【請求項２】
２つの基本的に対称な構造壁（２８ａ）を設けることを特徴とする、請求項１に記載のブロック圧縮機（２１）。
【請求項３】
２つの基本的に対称な構造壁（２８ｂ）を設けることを特徴とする、請求項１に記載のブロック圧縮機（２１）。
【請求項４】
前面支持延長部分（２４ａ）の間に配置される少なくとも１つの補強材（２４ｃ）を備えることを特徴とする、請求項１に記載のブロック圧縮機（２１）。
【請求項５】
構造壁（２８ａ、２８ｂ）が、基本的に曲線の部分から成ることを特徴とする、請求項１に記載のブロック圧縮機（２１）。
【請求項６】
構造壁（２８ｂ）が、連接棒（３３）の作動領域を画定することを特徴とする、請求項１に記載のブロック圧縮機（２１）。
【発明の詳細な説明】
【技術分野】
【０００１】
本発明は、圧縮機ブロック、特に、（好ましくは冷却システムに用いられる）往復圧縮機ブロックに関する。
【０００２】
該圧縮機ブロックは、その製造のためにより少ない素材を使用する、剛性で耐性のある構造体を提供することを目的として開発された。
【背景技術】
【０００３】
往復圧縮機、特に冷却システムに用いられる往復圧縮機は、電気モータによって、および作動流体（冷却剤流体）の圧縮を促進する手段によって本質的に構成される。一般に、作動流体の圧縮を促進する手段は、少なくとも１つのピストン−シリンダアセンブリを備え、その中で、ピストンは、シリンダ内で往復移動されることができる（そこで、作動流体は圧縮され得る）。
【０００４】
この意味で、ピストンの移動は、従来、電気モータによって与えられる移動と（直接的または間接的に）関連している。通常、これらの要素の間の結合は、連接棒によって行われ、これは、モータ（モータロータ）の移動をピストンに伝達しかつ／または変換することができる。
【０００５】
通常、往復圧縮機の構成要素の構成は、上記で説明されたように、構成要素を単一のブロックに結合させることによって提供され、これは圧縮機ハウジングと結合する。
【０００６】
現時点での技術水準により包含される圧縮機ブロックの例が、図１に示されている。この図においては、前記圧縮機ブロック１１は、ピストンガイド１３（図示せず）と結合するバルブアセンブリ（図示せず）をモータ（図示せず）のロータのためのハウジング１２に取り付けるためのプレート１６と、ブロック１１を圧縮機ハウジング（図示せず）で支持する延長部分１４とを備えることが認められる。これらの要素はモジュール方式で引用されているが、圧縮機ブロック１１は、１つのセクション、一体的な本体であり、これらの要素は、（材料１５の低減のいくつかのポイントを含むにもかかわらず）その製造に多量の素材を必要とするプレート１７によって互いに結合されることが述べられるべきである。
【０００７】
また、現時点での技術水準はその製造に素材の所要量を低減させるように設計された圧縮機ブロックのモデルを含むということが分かっている。
【０００８】
このタイプの構造の第１の例が、米国特許第４，１１５，０３５号明細書に説明されており、そこでは、その目的がその製造に要求される材料の量を最小限にすることである、冷凍機の往復圧縮機用のブロックを認めることができる。このブロックは、ブロックの作動領域を接合する実質的に三角形形状のプレートによって形成される幾何学的形状を備える（モータシャフトを取り付けるための開口部；スカートジャケット、および２つの圧力減衰チャンバ）。この解決策は、その製造に比較的少ない量の材料を用いるにもかかわらず、圧縮機の作動作用力に起因する張力のすべてを、ブロックの単一の領域：実質的に三角形形状のプレートに集中させるという欠点がある。さらに、これは、平坦なプレートであるので過度の音響伝達率となる。
【０００９】
第２の例が、文献米国特許第３，６６６，３８０号明細書に見出されることができ、これはまた、大幅に簡単化された実施形態から成り、明らかに材料の量を低減し、米国特許第４，１１５，０３５号明細書に説明された対象と類似の幾何学的形状が設けられた、冷凍機の往復圧縮機用のブロックを開示している。しかし、より簡単化された実施形態においては、圧力減衰チャンバを備えておらず、駆動軸を取り付けるための開口部から振動減衰要素と結合する圧縮機ハウジングまで延在する延長部分を備える。この実施形態から得られる圧縮機ブロックは、明らかに製造されるべき材料はあまり要求されないが、その剛性を確保するために補強材を使用する必要がある。この種の補強材は、ブロックの重量、およびしたがってこれを製造するのに使用される材料の量を増加させる傾向がある。
【００１０】
したがって、現時点での技術水準は、その製造に少量の材料を使用し、作動による作用力に対して高い機械的抵抗力を与え、また圧縮機の作動から生じる熱を放散させる良好な容量を形成する往復圧縮機ブロックを欠いていることが留意される。
【先行技術文献】
【特許文献】
【００１１】
【特許文献１】米国特許第４１１５０３５号明細書
【特許文献２】米国特許第３６６６３８０号明細書
【発明の概要】
【発明が解決しようとする課題】
【００１２】
本発明の目的の１つは、その製造に少量の素材を使用する往復圧縮機ブロックを提供することである。
【００１３】
本発明のもう１つの目的は、低重量で機械的強度が高い往復圧縮機ブロックを開示することである。
【００１４】
本発明のもう１つの目的は、従来の平坦なプレートの除去によって音響伝達性が小さい往復圧縮機ブロックを開示することである。
【００１５】
本発明のもう１つの目的は、圧縮機の運転中に吸収される熱の良好な放散をもたらすことができる往復圧縮機ブロックを提供することである。
【課題を解決するための手段】
【００１６】
本発明の目的は、ここで明らかにされた圧縮機ブロックにより達成され、この圧縮機ブロックは、駆動部材の少なくとも１つの開口部、少なくとも１つの前面支持延長部分、および（バルブのプレートを取り付けるための）少なくとも１つの部分を備える。本明細書において開示された圧縮機ブロックは、少なくとも１つの構造壁によって画定される（バルブのプレートを取り付けるための）部分と支持体の前面延長部分との間の構造的接続のための少なくとも１つの第１の手段と、少なくとも１つの構造壁によって画定される（バルブのプレートを取り付けるための）部分と支持体の前面延長部分との間の構造的接続のための少なくとも１つの第２の手段とを備える。
【００１７】
本発明によれば、壁は、互いの間の物理的結合のための少なくとも１つのセクションを備え、圧縮機ブロックの主要外周を画定する。壁は、基本的に対称であることが好ましい。
【００１８】
さらに、壁は、基本的に曲線のセクションから成ることが好ましい。
【００１９】
本明細書において開示された圧縮機ブロックは、支持体の前面延長部分の間に配置される少なくとも１つの補強材を備えることが好ましい。
【００２０】
任意に、構造壁は、連接棒の作動領域を画定することができる。
【００２１】
本発明は、下記に列挙された図に基づいて詳細に説明される。
【図面の簡単な説明】
【００２２】
【図１】等角透視図で見た、現時点での技術水準に属するブロック圧縮機を示す図である。
【図２】等角透視図による、ここに開示された圧縮機ブロックを示す図である。
【図３】上面図で見た、ここに開示された圧縮機ブロックを示す図である。
【図４】ここに開示された圧縮機ブロックの好ましいアセンブリを概略的に示す図である。
【発明を実施するための形態】
【００２３】
本発明の主概念に従って、ブロック圧縮機が示されており、このブロック圧縮機は、（従来技術で行われているような）ブロックの機能部品の接合用の水平プレートを使用せず、低重量、高剛性の構造体から成るがそれらの製造に少量の素材を必要とする。
【００２４】
本発明によって提案された好ましい実施形態が、図２から図４に詳細に開示されており、これは、本発明の目的である圧縮機ブロック２１を示している。
【００２５】
圧縮機ブロック２１は、ピストンアクチュエータ手段３２の通路を可能にすることができる駆動部材２２の少なくとも１つの通路開口部を備え、そこで、この種のピストンアクチュエータ手段３２は、クランクシャフトとして作用するモータシャフト３１に結合される偏心シャフトであることが好ましい。しかし、等価のピストン３２を作動させる任意の他の等価手段が、本発明の範囲を変更することなく使用され得ることに留意されたい。
【００２６】
好ましい実施形態においては、ブロック２１、少なくとも１つのピストンジャケット２３が、駆動部材２２の通路開口部に実質的に垂直な位置に配置され、前記ピストンジャケット２３は、圧縮機のピストン３４を収容することができる。ピストンジャケット２３は、揺動摺動運動が反対方向に移動する場合に、ピストン３４が駆動部材２２の通路開口部の方向に移動するために冷媒ガスを流入させ、これを圧縮するように、それ自体の内側でピストン３４を収容し、ピストン３４が揺動摺動運動することができるように設計される。
【００２７】
したがって、ピストンジャケット２３の内側表面は、（ピストンに対して理想のギャップ３４を確保し、気密性を確保するように）高い寸法精度、および、（ピストン３４とピストンジャケット２３との間の摩擦を最小限にし、それによってパワー損失と両方の構成要素の加熱とを低減するために）適切な表面粗さで形成されることが非常に重要である。
【００２８】
圧縮行程の吸気と既に圧縮された冷媒ガスの分配は共に、ピストンジャケット２３と一緒に配置される部分２６に取り付けられるバルブ（図示せず）のブロックによって操作される。
【００２９】
バルブの前記ブロックは、部分２６の幾何学的形状を画定し、必要ではないが好ましくは、所望の方向にのみガスの流れを可能にする「バイパス（ｂｙｐａｓｓ）」タイプのバルブアセンブリを備えるが、そのブロックバルブは、それによって本発明の範囲に影響を及ぼすことなく、等価手段によって置き換えられ得る。
【００３０】
また、前記ブロック２１は、ブロックの端部に配置される少なくとも１つ、しかし好ましくは４つの支持延長部分２４を備え、延長部分は、２つの前面支持延長部分２４ａ、および２つの後部支持延長部分２４ｂに細分割される。これらの延長部分支持体２４は、ブロック２１を圧縮機ハウジングに取り付けできるようにすることが意図される。
【００３１】
図２から図４に示されるブロック２１は、部分２６と支持体の前面延長部分２４ａとを接合する構造的接続のための少なくとも１つの第１の手段を画定する少なくとも１つの構造壁２８ａ、および、部分２６と支持体の前面延長部分２４ａとを接合する構造的接続のための少なくとも１つの第２の手段を画定する少なくとも１つの構造壁２８ｂを備える。好ましい実施形態においては、壁２８ａおよび２８ｂは、互いに対して物理的結合のための少なくとも１つのセクションを備える。
【００３２】
好ましい実施形態においては、ブロック２１は、２つの基本的に対称な構造壁２８ａを備える。
【００３３】
また、好ましい実施形態においては、ブロック２１は、２つの基本的に対称な構造壁２８ｂを備える。
【００３４】
したがって、壁２８ａおよび２８ｂは、好ましくは、基本的に曲線のセクションが設けられ、２対の壁によって画定されている主ブロック２１の外周を画定し、各対は、互いに対して対称に配置され、かつ物理的に接合された構造壁２８ａおよび構造壁２８ｂによって構成される。
【００３５】
加えて、２つの支持体の前面延長部分２４ａを接合する補強材２４ｃの使用が行われる。好ましい実施形態においては、前記補強材２４ｃには、曲線の幾何学的形状が設けられる。
【００３６】
これらの壁２８ａおよび２８ｂは、たとえこれらが細い横断面から成っていても、多自由度の機械的強度を与えるので、本発明のブロックに剛性を与える。したがって、構造壁２８ａおよび２８ｂの横断面は、それらのより高い慣性モーメントの方向に負荷を支持するように配置され、少量の必要とされる素材で高い剛性が与えられ、その結果、より軽量で経済的なブロック２１となることが留意される。
【００３７】
駆動部材２２の通路開口部を参照して、これは、少なくとも１つ、しかし好ましくは４つの補強材２７によってブロック２１の構造体と関係付けられることが留意される。
【００３８】
また、ブロック２１の構造体においては、壁２８ａおよび２８ｂ、ならびに補強材２７の剛体接続または恒久接続によって形成される構造構成は、全く素材の無い大量の開口部２５になることに留意されたい。この種の開口部２５は、現時点での技術水準の圧縮機ブロックに比べた場合、それらが素材の無い空間であり、素材節約の中のかなりの割合になるという事実によって、ブロック２１によって画定される容積空間の中の高い割合になる。
【００３９】
また、この種の開口部２５の存在により、現時点での技術水準の圧縮機ブロックに比べた場合、対流による熱の放散のかなりの改善をもたらす「熱交換容積／表面」の良好な関係が得られる。いったん圧縮機ブロック２１がより一層容易にその熱を放散することができると、結果的には、ブロック２１の平均温度がより低くなり、圧縮機の熱効率がより高くなる。
【００４０】
また、構造体２８ａおよび２８ｂと結合される開口部２５は、現時点での技術水準の圧縮機のブロックに比べてより容易に振動する平坦なプレートの欠如をもたらすので、結果としてブロックの低い音響伝達率を与える。
【００４１】
さらに、構造壁２８ｂを参照して、電気モータ３１を連接棒３３に相互接続する偏心シャフトによって表される場合においては、構造壁２８ｂが、ピストン３２の駆動部材の移動を迂回させる、連接棒３３の動作領域を画定することが図４において留意される。現段階では、回転運動をモータシャフト３１に強いることによって、偏心シャフトは、モータシャフトの同じ中心下で回転軌跡上を移動するが、半径方向に変位され、それにより連接棒３３に結合されるピストン３４に交互直線移動を与える。
【００４２】
好ましい実施形態においては、ブロック２１は、金属材料単一体によって形成され、したがって、ブロック２１は、取得する材料もプロセスも共に適用範囲が損なわれることなく変更され得る鋳造プロセスによって製造されることが好ましい。代替実施形態の一例は、たとえば、プラスチック射出プロセスによって製造される高分子材料で形成されているブロック２１を採用することから成る。
【００４３】
本発明の好ましい構造形態が示されたが、任意の省略、置換、および構造変更が、要求される保護の趣旨および範囲を逸脱することなく、当業者によって行われ得ることが理解されることに留意されたい。また、同じ成果を達成するように実質的に同じ方法で同じ機能を果たす要素の組合せはすべて、本発明の範囲内にあることが明白に述べられる。また、他者による説明された実施形態の要素の置換も、完全に意図され、考えられるものである。
【００４４】
また、本発明の対象について可能な実施形態のうちの１つのみに言及した図を基礎として上記で与えられた説明、および対象の実際の範囲は、添付の特許請求の範囲に定義されていることを理解されたい。
【図１】
2014533333.tif 000003
【図２】
2014533333.tif 000004
【図３】
2014533333.tif 000005
【図４】
2014533333.tif 000006
【手続補正書】
【提出日】平成25年10月3日(2013.10.3)
【手続補正１】
【補正対象書類名】明細書
【補正対象項目名】全文
【補正方法】変更
【補正の内容】
【書類名】明細書
【０００１】
【発明の名称】圧縮機ブロック
【技術分野】
【０００２】
本発明は、圧縮機ブロック、特に、（好ましくは冷却システムに用いられる）往復圧縮機ブロックに関する。
【０００３】
該圧縮機ブロックは、その製造のためにより少ない素材を使用する、剛性で耐性のある構造体を提供することを目的として開発された。
【背景技術】
【０００４】
往復圧縮機、特に冷却システムに用いられる往復圧縮機は、電気モータによって、および作動流体（冷却剤流体）の圧縮を促進する手段によって本質的に構成される。一般に、作動流体の圧縮を促進する手段は、少なくとも１つのピストン−シリンダアセンブリを備え、その中で、ピストンは、シリンダ内で往復移動されることができる（そこで、作動流体は圧縮され得る）。
【０００５】
この意味で、ピストンの移動は、従来、電気モータによって与えられる移動と（直接的または間接的に）関連している。通常、これらの要素の間の結合は、連接棒によって行われ、これは、モータ（モータロータ）の移動をピストンに伝達しかつ／または変換することができる。
【０００６】
通常、往復圧縮機の構成要素の構成は、上記で説明されたように、構成要素を単一のブロックに結合させることによって提供され、これは圧縮機ハウジングと結合する。
【０００７】
現時点での技術水準により包含される圧縮機ブロックの例が、図１に示されている。この図においては、前記圧縮機ブロック１１は、ピストンガイド１３（図示せず）と結合するバルブアセンブリ（図示せず）をモータ（図示せず）のロータのためのハウジング１２に取り付けるためのプレート１６と、ブロック１１を圧縮機ハウジング（図示せず）に支持する延長部分１４とを備えることが認められる。これらの要素はモジュール方式で引用されているが、圧縮機ブロック１１は、１つのセクション、一体的な本体であり、これらの要素は、（材料１５の低減のいくつかのポイントを含むにもかかわらず）その製造に多量の素材を必要とするプレート１７によって互いに結合されることが述べられるべきである。
【０００８】
また、現時点での技術水準はその製造に素材の所要量を低減させるように設計された圧縮機ブロックのモデルを含むということが分かっている。
【０００９】
このタイプの構造の第１の例が、米国特許第４，１１５，０３５号明細書に説明されており、そこでは、その目的がその製造に要求される材料の量を最小限にすることである、冷凍機の往復圧縮機用のブロックを認めることができる。このブロックは、ブロックの作動領域を接合する実質的に三角形形状のプレートによって形成される幾何学的形状を備える（モータシャフトを取り付けるための開口部；スカートジャケット、および２つの圧力減衰チャンバ）。この解決策は、その製造に比較的少ない量の材料を用いるにもかかわらず、圧縮機の作動作用力に起因する張力のすべてを、ブロックの単一の領域：実質的に三角形形状のプレートに集中させるという欠点がある。さらに、これは、平坦なプレートであるので過度の音響伝達率となる。
【００１０】
第２の例が、文献米国特許第３，６６６，３８０号明細書に見出されることができ、これはまた、大幅に簡単化された実施形態から成り、明らかに材料の量を低減し、米国特許第４，１１５，０３５号明細書に説明された対象と類似の幾何学的形状が設けられた、冷凍機の往復圧縮機用のブロックを開示している。しかし、より簡単化された実施形態においては、圧力減衰チャンバを備えておらず、駆動軸を取り付けるための開口部から振動減衰要素と結合する圧縮機ハウジングまで延在する延長部分を備える。この実施形態から得られる圧縮機ブロックは、明らかに製造されるべき材料はあまり要求されないが、その剛性を確保するために補強材を使用する必要がある。この種の補強材は、ブロックの重量、およびしたがってこれを製造するのに使用される材料の量を増加させる傾向がある。
【００１１】
さらに、その製造のための素材の所要量を低減させることを目的としない圧縮機ブロックの他の例が下記に説明されている。すなわち、
圧縮機ブロックの第３の例が、文献国際公開第２０１１／０２２７９９号に見出されることができ、これは、シャフトハブ、ピストンハブ、およびシャフトハブとピストンハブとの間の物理的接続部を備える圧縮機ブロックを開示している。前記物理的接続部は、２つの横方向脚部（６０ａ）および基礎脚部（６０ｂ）によって画定される。国際公開第２０１１／０２２７９９号の主目的は、ピストンハブの作用角に対するシャフトハブの作用角との間の弾性変形力を示す圧縮機ブロックを提供することであり、この趣旨で、ピストンハブは、圧縮機ブロックの脚部に関して移動制御可能に移動され得る。圧縮機ブロックの第４の例が、文献欧州特許第０５０７０９１号明細書に見出されることができ、これは、「最適化された」圧縮機ブロックを備えるモータ−圧縮機ユニットを開示しており、そこでは、前記圧縮機ブロックは、後端、２つの横方向縁部、平坦部、および４つのアームを備える。これらの構造体はすべてそれらの間に一体に接合され、それによって、モノブロック本体を画定することが推測され得る。後端が２つの横方向脚部および平坦部に一体に接合されることが特に検証される。文献欧州特許第０５０７０９１号明細書の主目的は、スタンピングによってこれを製造することができるように、その幾何学的形状ができるだけ簡単で均一である圧縮機ブロックを提供することである。
【００１２】
圧縮機ブロックの他の例は、文献国際公開第２００９／１３７８５７号、米国特許第３，７８５，４５３号明細書、または米国特許第３，４０１，８７３号明細書に見出されることができ、これらは、本発明と特定の関連性はない。
【００１３】
したがって、現時点での技術水準は、その製造に少量の材料を使用し、作動による作用力に対して高い機械的抵抗力を与え、また圧縮機の作動から生じる熱を放散させる良好な容量を形成する往復圧縮機ブロックを欠いていることが留意される。
【先行技術文献】
【特許文献】
【００１４】
【特許文献１】米国特許第４１１５０３５号明細書
【特許文献２】米国特許第３６６６３８０号明細書
【特許文献３】国際公開第２０１１／０２２７９９号
【特許文献４】欧州特許第０５０７０９１号明細書
【特許文献５】国際公開第２００９／１３７８５７号
【特許文献６】米国特許第３７８５４５３号明細書
【特許文献７】米国特許第３４０１８７３号明細書
【発明の概要】
【発明が解決しようとする課題】
【００１５】
本発明の目的の１つは、その製造に少量の素材を使用する往復圧縮機ブロックを提供することである。
【００１６】
本発明のもう１つの目的は、低重量で機械的強度が高い往復圧縮機ブロックを開示することである。
【００１７】
本発明のもう１つの目的は、従来の平坦なプレートの除去によって音響伝達性が小さい往復圧縮機ブロックを開示することである。
【００１８】
本発明のもう１つの目的は、圧縮機の運転中に吸収される熱の良好な放散をもたらすことができる往復圧縮機ブロックを提供することである。
【課題を解決するための手段】
【００１９】
本発明の目的は、ここで明らかにされた圧縮機ブロックにより達成され、この圧縮機ブロックは、駆動部材の少なくとも１つの開口部、少なくとも１つの前面支持延長部分、および（バルブのプレートを取り付けるための）少なくとも１つの部分を備える。本明細書において開示された圧縮機ブロックは、少なくとも１つの構造壁によって画定される（バルブのプレートを取り付けるための）部分と支持体の前面延長部分との間の構造的接続のための少なくとも１つの第１の手段と、少なくとも１つの構造壁によって画定される（バルブのプレートを取り付けるための）部分と支持体の前面延長部分との間の構造的接続のための少なくとも１つの第２の手段とを備える。
【００２０】
本発明によれば、壁は、互いに間に物理的結合のための少なくとも１つのセクションを備え、圧縮機ブロックの主要外周を少なくとも部分的に画定する。壁は、基本的に対称であることが好ましい。
【００２１】
さらに、壁は、基本的に曲線のセクションから成ることが好ましい。
【００２２】
本明細書において開示された圧縮機ブロックは、支持体の前面延長部分の間に配置される少なくとも１つの補強材を備えることが好ましい。
【００２３】
任意に、構造壁は、連接棒の作動領域を画定することができる。
【００２４】
本発明は、下記に列挙された図に基づいて詳細に説明される。
【図面の簡単な説明】
【００２５】
【図１】等角透視図で見た、現時点での技術水準に属するブロック圧縮機を示す図である。
【図２】等角透視図による、ここに開示された圧縮機ブロックを示す図である。
【図３】上面図で見た、ここに開示された圧縮機ブロックを示す図である。
【図４】ここに開示された圧縮機ブロックの好ましいアセンブリを概略的に示す図である。
【発明を実施するための形態】
【００２６】
本発明の主概念に従って、ブロック圧縮機が示されており、このブロック圧縮機は、（従来技術で行われているような）ブロックの機能部品の接合用の水平プレートを使用せず、低重量、高剛性の構造体から成るがそれらの製造に少量の素材を必要とする。
【００２７】
本発明によって提案された好ましい実施形態が、図２から図４に詳細に開示されており、これは、本発明の目的である圧縮機ブロック２１を示している。
【００２８】
圧縮機ブロック２１は、ピストンアクチュエータ手段３２の通路を可能にすることができる駆動部材２２の少なくとも１つの通路開口部を備え、そこで、この種のピストンアクチュエータ手段３２は、クランクシャフトとして作用するモータシャフト３１に結合される偏心シャフトであることが好ましい。しかし、等価のピストン３２を作動させる任意の他の等価手段が、本発明の範囲を変更することなく使用され得ることに留意されたい。
【００２９】
好ましい実施形態においては、ブロック２１、少なくとも１つのピストンジャケット２３が、駆動部材２２の通路開口部に実質的に垂直な位置に配置され、前記ピストンジャケット２３は、圧縮機のピストン３４を収容することができる。ピストンジャケット２３は、揺動摺動運動が反対方向に移動する場合に、ピストン３４が駆動部材２２の通路開口部の方向に移動するために冷媒ガスを流入させ、これを圧縮するように、それ自体の内側でピストン３４を収容し、ピストン３４が揺動摺動運動することができるように設計される。
【００３０】
したがって、ピストンジャケット２３の内側表面は、（ピストンに対して理想のギャップ３４を確保し、気密性を確保するように）高い寸法精度、および、（ピストン３４とピストンジャケット２３との間の摩擦を最小限にし、それによってパワー損失と両方の構成要素の加熱とを低減するために）適切な表面粗さで形成されることが非常に重要である。
【００３１】
圧縮行程の吸気と既に圧縮された冷媒ガスの分配は共に、ピストンジャケット２３と一緒に配置される部分２６に取り付けられるバルブ（図示せず）のブロックによって操作される。
【００３２】
バルブの前記ブロックは、部分２６の幾何学的形状を画定し、必要ではないが好ましくは、所望の方向にのみガスの流れを可能にする「バイパス（ｂｙｐａｓｓ）」タイプのバルブアセンブリを備えるが、そのブロックバルブは、それによって本発明の範囲に影響を及ぼすことなく、等価手段によって置き換えられ得る。
【００３３】
また、前記ブロック２１は、ブロックの端部に配置される少なくとも１つ、しかし好ましくは４つの支持延長部分２４を備え、延長部分は、２つの前面支持延長部分２４ａ、および２つの後部支持延長部分２４ｂに細分割される。これらの延長部分支持体２４は、ブロック２１を圧縮機ハウジングに取り付けできるようにすることが意図される。
【００３４】
図２から図４に示されるブロック２１は、部分２６と支持体の前面延長部分２４ａとを接合する構造的接続のための少なくとも１つの第１の手段を画定する少なくとも１つの構造壁２８ａ、および、部分２６と支持体の前面延長部分２４ａとを接合する構造的接続のための少なくとも１つの第２の手段を画定する少なくとも１つの構造壁２８ｂを備える。好ましい実施形態においては、壁２８ａおよび２８ｂは、互いに対して物理的結合のための少なくとも１つのセクションを備える。
【００３５】
好ましい実施形態においては、ブロック２１は、２つの基本的に対称な構造壁２８ａを備える。
【００３６】
また、好ましい実施形態においては、ブロック２１は、２つの基本的に対称な構造壁２８ｂを備える。
【００３７】
したがって、壁２８ａおよび２８ｂは、好ましくは、基本的に曲線のセクションが設けられ、２対の壁によって画定されている主ブロック２１の外周を画定し、各対は、互いに対して対称に配置され、かつ物理的に接合された構造壁２８ａおよび構造壁２８ｂによって構成される。
【００３８】
加えて、２つの支持体の前面延長部分２４ａを接合する補強材２４ｃの使用が行われる。好ましい実施形態においては、前記補強材２４ｃには、曲線の幾何学的形状が設けられる。
【００３９】
これらの壁２８ａおよび２８ｂは、たとえこれらが細い横断面から成っていても、多自由度の機械的強度を与えるので、本発明のブロックに剛性を与える。したがって、構造壁２８ａおよび２８ｂの横断面は、それらのより高い慣性モーメントの方向に負荷を支持するように配置され、少量の必要とされる素材で高い剛性が与えられ、その結果、より軽量で経済的なブロック２１となることが留意される。
【００４０】
駆動部材２２の通路開口部を参照して、これは、少なくとも１つ、しかし好ましくは４つの補強材２７によってブロック２１の構造体と関係付けられることが留意される。
【００４１】
また、ブロック２１の構造体においては、壁２８ａおよび２８ｂ、ならびに補強材２７の剛体接続または永久接続によって形成される構造構成は、全く素材の無い大量の開口部２５になることに留意されたい。この種の開口部２５は、現時点での技術水準の圧縮機ブロックに比べた場合、素材の無い空間があり、素材節約の中のかなりの割合になるという事実によって、ブロック２１によって画定される容積空間の中の高い割合になる。
【００４２】
また、この種の開口部２５の存在により、現時点での技術水準の圧縮機ブロックに比べた場合、対流による熱の放散のかなりの改善をもたらす「熱交換容積／表面」の良好な関係が得られる。いったん圧縮機ブロック２１がより一層容易にその熱を放散することができると、結果的には、ブロック２１の平均温度がより低くなり、圧縮機の熱効率がより高くなる。
【００４３】
また、構造体２８ａおよび２８ｂと結合される開口部２５は、現時点での技術水準の圧縮機のブロックに比べてより容易に振動する平坦なプレートの欠如をもたらすので、結果としてブロックの低い音響伝達率を与える。
【００４４】
さらに、構造壁２８ｂを参照して、電気モータ３１を連接棒３３に相互接続する偏心シャフトによって表される場合においては、構造壁２８ｂが、ピストン３２の駆動部材の移動を迂回させる、連接棒３３の動作領域を画定することが図４において留意される。現段階では、回転運動をモータシャフト３１に強いることによって、偏心シャフトは、モータシャフトの同じ中心下で回転軌跡上を移動するが、半径方向に変位され、それにより連接棒３３に結合されるピストン３４に交互直線移動を与える。
【００４５】
好ましい実施形態においては、ブロック２１は、金属材料単一体によって形成され、したがって、ブロック２１は、取得する材料もプロセスも共に適用範囲が損なわれることなく変更され得る鋳造プロセスによって製造されることが好ましい。代替実施形態の一例は、たとえば、プラスチック射出プロセスによって製造される高分子材料で形成されているブロック２１を採用することから成る。
【手続補正２】
【補正対象書類名】特許請求の範囲
【補正対象項目名】全文
【補正方法】変更
【補正の内容】
【特許請求の範囲】
【請求項１】
駆動部材（２２）の少なくとも１つの通路開口部、少なくとも１つの前面支持延長部分（２４ａ）、および少なくとも１つの部分（２６）を備える圧縮機ブロック（２１）であって、
少なくとも１つの構造壁（２８ａ）によって画定される部分（２６）と支持体の前面延長部分（２４ａ）との間の構造的接続のための少なくとも１つの第１の手段と、
少なくとも１つの構造壁（２８ｂ）によって画定される部分（２６）と支持体の前面延長部分（２４ａ）との間の構造的接続のための少なくとも１つの第２の手段と、
互いの間の物理的結合のための少なくとも１つのセクションを備える構造壁（２８ａ、２８ｂ）と、
駆動部材（２２）の通路開口部をブロック（２１）の構造体に接続する複数の補強材（２７）と、
互いの間の物理的結合のための少なくとも１つのセクションを備える構造壁（２８ａ、２８ｂ）および補強材（２７）と、
複数の開口部（２５）を画定する構造壁（２８ａ、２８ｂ）と補強材（２７）との間の物理的結合と、
圧縮機ブロック（２１）の主要外周を画定する構造壁（２８ａ、２８ｂ）と
によって形成される構造体を備えることを特徴とする、圧縮機ブロック（２１）。
【請求項２】
２つの対称な構造壁（２８ａ）を設けることを特徴とする、請求項１に記載の圧縮機ブロック（２１）。
【請求項３】
２つの対称な構造壁（２８ｂ）を設けることを特徴とする、請求項１に記載の圧縮機ブロック（２１）。
【請求項４】
前面支持延長部分（２４ａ）の間に配置される少なくとも１つの補強材（２４ｃ）を備えることを特徴とする、請求項１に記載の圧縮機ブロック（２１）。
【請求項５】
構造壁（２８ａ、２８ｂ）が、曲線の部分から成ることを特徴とする、請求項１に記載の圧縮機ブロック（２１）。
【請求項６】
構造壁（２８ｂ）が、連接棒（３３）の作動領域を画定することを特徴とする、請求項１に記載の圧縮機ブロック（２１）。
【手続補正３】
【補正対象書類名】図面
【補正対象項目名】全図
【補正方法】変更
【補正の内容】
【図１】
2014533333.tif 000007
【図２】
2014533333.tif 000008
【図３】
2014533333.tif 000009
【図４】
2014533333.tif 000010
【国際調査報告】
2014533333.tif 000011
2014533333.tif 000012
2014533333.tif 000013